(57)【特許請求の範囲】
【請求項１】
圧縮機及び熱源側熱交換器等の、冷媒回路を構成する機器が配置されて構成されるとともに、最下部に設置されたドレンパンに、補強部材を介して上記機器が支持される空気調和装置の熱源側ユニットにおいて、上記補強部材は、ドレンパンの対向する側壁に両端部が固定され、且つ、上記ドレンパンの表面から所定距離だけ離れて配設されたことを特徴とする空気調和装置の熱源側ユニット。
【発明の詳細な説明】
【０００１】
【発明の属する技術分野】
本発明は、圧縮機及び熱源側熱交換器を備えた空気調和装置の熱源側ユニットに関する。
【０００２】
【従来の技術】
一般に、空気調和装置として、利用側熱交換器を備えた利用側ユニットと、圧縮機及び熱源側熱交換器を備えた熱源側ユニットとから構成されたものが知られている。利用側ユニットは室内に設置され、利用側熱交換器が冷媒と室内空気とを熱交換し、この熱交換された室内空気を室内へ送風することにより、室内を冷房または暖房する。
【０００３】
また、熱源側ユニットは、ビルなどの天井裏や屋上の機械室などに設置され、利用側熱交換器が水を熱源として、冷媒と水とを熱交換させるものである。そして、この熱源側ユニットは、上記圧縮機及び熱源側熱交換器の他に、冷媒回路を構成する各種機器（レシーバタンク、アキュムレータなど）が配置されて構成される。
【０００４】
上述のような熱源側ユニットを構成する圧縮機、熱源側熱交換器などの各種機器は、熱源側ユニットの最下部に設置のドレンパン１００（図６）に固定された補強部材１０１によって支持される。
【０００５】
一方、上述のように構成された熱源側ユニットを運搬するに際しては、重量物たる熱源側ユニットを木枠などの運搬補助具に載置させ、熱源側ユニットを段ボールや発泡スチロールなどを用いて覆い、運搬補助具にフォークリフトのフォーク部を差し込んで持ち上げて、熱源側ユニットを運搬している。
【０００６】
【発明が解決しようとする課題】
しかしながら、上述のような運搬方法では、熱源側ユニットの運搬後に、段ボールや発泡スチロールなどが産業廃棄物として廃棄され、また、木枠などの運搬補助具も、複数回の使用後に同じく産業廃棄物として廃棄されるので、これらの廃棄物を減少し地球環境を考慮した対策が要望されている。
【０００７】
また、図６（Ａ）に示す補強部材１０１は、ドレンパン１００の内表面に直接溶接されているため、補強部材１０１がドレンパン１００に接触する外側部分１０１Ａには防錆塗料を塗布することができるが、内側部分１０１Ｂには防錆塗料を塗布することができない。このため、熱源側ユニットの使用中に、内側部分１０１Ｂに隙間腐食が発生してしまう恐れがある。
【０００８】
更に、補強部材１０１がドレンパン１００の内表面に直接接触して固定されていることから、図６（Ｂ）に示すように、補強部材１０１には、ドレンパン１００内のドレンを流すための流路１０２が形成されている。しかし、この流路１０２の流路面積は必ずしも十分大きいとは言えず、この流路１０２にゴミ溜まりなどの不具合が生じて、ドレンパン１００内でのドレンの流れに支障を来す恐れがある。
【０００９】
上述の事情を考慮して、請求項１に記載の発明の目的は、産業廃棄物となる運搬補助具などを使用せずに安全に運搬できる空気調和装置の熱源側ユニットを提供することにあり、請求項３に記載の発明の目的は、ドレンパンの腐食を防止できるとともに、ドレンパンにおけるゴミ溜まりも解消できる空気調和装置の熱源側ユニットを提供することにある。
【００１０】
【課題を解決するための手段】
請求項１に記載の発明は、圧縮機及び熱源側熱交換器等の、冷媒回路を構成する機器が配置されて構成されるとともに、最下部に設置されたドレンパンに、補強部材を介して上記機器が支持される空気調和装置の熱源側ユニットにおいて、上記補強部材は、ドレンパンの対向する側壁に両端部が固定され、且つ、上記ドレンパンの表面から所定距離だけ離れて配設されたことを特徴とするものである。
【００１９】
請求項１に記載の発明には、次の作用がある。
【００２０】
補強部材が、ドレンパンの対向する側壁に両端部が固定され、且つ、ドレンパンの表面から所定距離だけ離れて配設されたことから、補強部材の内側にも防錆塗料を塗布することができるので、この補強部材及びドレンパンの腐食を防止できる。
【００２１】
更に、補強部材がドレンパンの表面から所定距離だけ離れて配設されたことから、これらのドレンパン表面と補強部材との間に比較的大きな開口面積のドレン流路を形成できるので、ドレンパンにおけるゴミ溜まりを解消できる。
【００２２】
【発明の実施の形態】
以下、本発明の実施の形態を、図面に基づき説明する。
【００２３】
図１は、本発明に係る空気調和装置の熱源側ユニットの一実施の形態を示す正面図である。
【００２４】
この図１に示す空気調和装置１０は、利用側ユニット（不図示）及び熱源側ユニット１１を有して構成された分離型の空気調和装置であり、熱源として水を用いる、いわゆる水熱源空気調和装置である。
【００２５】
熱源側ユニット１１は、ビルなどの天井裏や屋上の機械室などに設置され、熱源側熱交換器１５が水を熱源として、冷媒と水とを熱交換する。また、利用側ユニットは室内に設置され、熱源側ユニット１１から流入した冷媒と室内空気とを利用側熱交換器が熱交換し、この熱交換された室内空気を室内へ圧送することにより、室内を冷房または暖房する。
【００２６】
ところで、図１及び図２に示すように、上記熱源側ユニット１１は２基の圧縮機１３、２個の熱源側熱交換器１５、１個のレシーバタンク１６及び１個のアキュムレータ１７などが熱源側冷媒配管１４を介して接続されて、冷媒回路を構成する。
【００２７】
上述の圧縮機１３、熱源側熱交換器１５、レシーバタンク１６及びアキュムレータ１７などは、直方体形状の骨組構造体として構成されたフレーム１８に支持されて配置され、２基の圧縮機１３はフレーム１８の上段に、熱源側熱交換器１５、レシーバタンク１６及びアキュムレータ１７がフレーム１８の下段にそれぞれ配置される。つまり、圧縮機１３は、熱源側熱交換器１５、レシーバタンク１６及びアキュムレータ１７の最上部よりも更に高い位置に設置される。
【００２８】
また、熱源側熱交換器１５は、図３及び図４に示すように、内側パイプに冷媒が、外側パイプに水が流れる２重管構造であり、この２重管がループ形状に４または５段巻き上げられて構成された、いわゆる水熱交換器である。このように構成された熱源側熱交換器１５が鉛直方向に複数個、例えば２個積み上げられて、フレーム１８の下段に設置される。
【００２９】
更に、レシーバタンク１６及びアキュムレータ１７は、熱源側ユニット１１における圧縮機１３及び熱源側熱交換器１５以外の他の大型機器であり、これらは、２個積み上げ配置されたループ形状の熱源側熱交換器１５の内側に設置される。
【００３０】
レシーバタンク１６の全長Ｈ１は、２個積み上げられた熱源側熱交換器１５の内側に全て収容されず、上端部が２個の熱源側熱交換器１５よりも高い位置に位置付けられるが、アキュムレータ１７の全長Ｈ２は、２個積み上げられた熱源側熱交換器１５の内側に全て収容されて配置される。
【００３１】
レシーバタンク１６、アキュムレータ１７には、それぞれ、熱源側冷媒配管１４との接続口１９、２０が上方に位置付けられている。このことから、アキュムレータ１７の全長Ｈ２が上述のように２個の熱源側熱交換器１５の内側に全て収容されていても、アキュムレータ１７の接続口２０と熱源側冷媒配管１４との接続に支障が生じない。
【００３２】
同様に、熱源側熱交換器１５が鉛直方向に例えば３段積み上げられて、レシーバタンク１６の全長Ｈ１が３個の熱源側熱交換器１５の内側に全て収容されて配置された場合にも、レシーバタンク１６の接続口１９が上方に位置付けられているので、レシーバタンク１６の接続口１９と熱源側冷媒配管１４との接続に支障を来すことがない。
【００３３】
ところで、図１に示すように、フレーム１８には、鉛直方向ほぼ中央位置に支持板２２が水平状態で設置され、この支持板２２に圧縮機１３が載置されて、それらの荷重が支持される。
【００３４】
また、フレーム１８の最下部にはドレンパン２３が設置される。このドレンパン２３は、図３及び図４に示すように、長方形状の底面２５と、この底面２５の長手側側縁から立設された対向する一対の長手側側壁２６と、底面２５の短手側側縁から立設された対向する一対の短手側側壁２７とに囲まれて凹部が形成される。このドレンパン２３の凹部が、熱源側熱交換器１５の外周に付着して流下する水滴をドレンとして受け、このドレンをドレン口２４から外部へ排水可能とする。
【００３５】
このドレンパン２３には、短手側側壁２７に並行して複数本の補強部材２８が配設され、これらの補強部材２８の両端部が、ドレンパン２３における一対の長手側側壁２６に溶接等により固着される。これらの補強部材２８は、図３に示すように断面コ字形状であり、開口側が底面２５に対向して配置される。このため、補強部材２８の外側及び内側には、長手側側壁２６との溶接箇所も含めて防錆塗料が十分に塗布される。
【００３６】
更に、補強部材２８は、ドレンパン２３における底面２５の内表面に対し所定距離Ｌだけ隔てて位置付けられて、底面２５との間に比較的大きな開口面積のドレン流路２９が確保される。
【００３７】
また、上記複数本の補強部材２８に熱源側熱交換器１５、レシーバタンク１６及びアキュムレータ１７が載置されて、これら熱源側熱交換器１５、レシーバタンク１６及びアキュムレータ１７の荷重が補強部材２８を介しドレンパン２３によって支持される。
【００３８】
一方、図１及び図３に示すように、熱源側ユニット１１の底部、つまり、フレーム１８の最下部（脚部３２）には、ドレンパン２３の下方に位置付けられてガイド金具３０が設置されている。このガイド金具３０は、図５に示すように角筒形状であり、図示しないフォークリフトのフォーク部が挿入可能とされて、このフォーク部を支持する。
【００３９】
このガイド金具３０には舌片部３１が一体化され、この舌片部３１と上記脚部３２とがビス３３により螺合されて、ガイド金具３０が脚部３２に着脱自在に設置される。ガイド金具３０を取り外す際には、ビス３３を取り外し、ガイド金具３０を図５の矢印Ａ方向に移動させることにより、このガイド金具３０を熱源側ユニット１１から取り外す。
【００４０】
従って、上記実施の形態によれば、次の効果▲１▼〜▲５▼を奏する。
【００４１】
▲１▼熱源側ユニット１１の底部（フレーム１８の脚部３２）に、フォークリフトのフォーク部を支持するガイド金具３０がビス３３により着脱自在に設置されたことから、熱源側ユニット１１をフォークリフトにて運搬でき、しかも、フォークリフトのフォーク部をガイド金具３０にて支持させることにより、熱源側ユニット１１を傷つけることなく安全に運搬できる。
【００４２】
▲２▼熱源側ユニット１１をフォークリフトにて運搬する際に、熱源側ユニット１１を木枠などの運搬補助具に載置させ、この運搬補助具にてフォークリフトのフォーク部を支持する必要がないので、産業廃棄物となる運搬補助具などの使用を廃止することができる。
【００４３】
▲３▼フォークリフトのフォーク部を支持するガイド金具３０が、熱源側ユニット１１のフレーム１８における脚部３２にビス３３を用いて、着脱自在に設置されたことから、熱源側ユニット１１の据付時に、ガイド金具３０を設置した状態で熱源側ユニット１１を据え付けることができ、この場合、ガイド金具３０の取り外しの手間を省くことができる。
【００４４】
▲４▼補強部材２８が、ドレンパン２３の対向する長手側側壁２６に両端部が固定され、且つ、ドレンパン２３の底面２５から所定距離Ｌだけ離れて配設されたことから、補強部材２８の内側にも防錆塗料を塗布することができるので、この補強部材２８及びドレンパン２３の腐食を確実に防止できる。
【００４５】
▲５▼補強部材２８がドレンパン２３の底面２５から所定距離Ｌだけ離れて配設されたことから、これらのドレンパン２３の底面２５と補強部材２８との間に比較的大きな開口面積のドレン流路２９を形成できるので、ドレンパン２３におけるゴミ溜まりを解消できる。
【００４６】
以上、本発明を上記実施の形態に基づいて説明したが、本発明はこれに限定されるものではない。
【００４７】
例えば、ガイド金具３０には、フレーム１８の脚部３２側に延びる他の舌片部が設けられ、この舌片部が、熱源側ユニット１１の据付時に脚部３２と熱源側ユニット１１の据付面との間に介在され、脚部３２のアンカーボルト挿入孔３４（図５）に挿入されるアンカーボルトによって、脚部３２と上記据付面との間に固定可能に構成されても良い。この場合には、次の効果▲６▼を奏する。
【００４８】
▲６▼ガイド金具３０が、熱源側ユニット１１据付用のアンカーボルトにて、熱源側ユニット１１及び据付場所（据付面）に固定可能に構成された場合には、熱源側ユニット１１の据付後に、ガイド金具３０が熱源側ユニット１１から離脱することを確実に防止できる。
【００４９】
【発明の効果】
請求項１に記載の発明に係る空気調和装置の熱源側ユニットによれば、最下部に設置されたドレンパンに補強部材を介して機器が支持され、上記補強部材は、ドレンパンの対向する側壁に両端部が固定され、且つ、上記ドレンパンの表面から所定距離だけ離れて配設されたことから、ドレンパンの腐食を防止できると共に、ドレンパンにおけるゴミ溜まりも解消できる。
【図面の簡単な説明】
【図１】本発明に係る空気調和装置の熱源側ユニットにおける一実施の形態を示す正面図である。
【図２】図１の熱源側ユニットの平面図である。
【図３】図１の熱源側熱交換器及びアキュムレータなどを示す正面図である。
【図４】図３の熱源側熱交換器及びアキュムレータを示す平面図である。
【図５】図１のＶ矢視部分を拡大して示す斜視図である。
【図６】（Ａ）は、従来の空気調和装置の熱源側ユニットにおけるドレンパンと補強部材を示す断面図であり、（Ｂ）は、図６（Ａ）のＶＩＢ矢視図である。
【符号の説明】
１０  空気調和装置
１１  熱源側ユニット
１３  圧縮機
１５  熱源側熱交換器
１６  レシーバタンク
１７  アキュムレータ
１８  フレーム
２３  ドレンパン
２６  長手側側壁
２８  補強部材
３０  ガイド金具
３３  ビス
３４  アンカーボルト挿入孔
【図１】
0003762569.tif 000002
【図２】
0003762569.tif 000003
【図３】
0003762569.tif 000004
【図４】
0003762569.tif 000005
【図５】
0003762569.tif 000006
【図６】
0003762569.tif 000007